(57)【要約】【課題】外部端子の破損を防止することができるパチンコ遊技機及びその外部端子カバーを提供する。【解決手段】本発明のパチンコ遊技機の外部端子カバー１は、パチンコ遊技機の背面に集約されて配置された外部端子を保護するカバーであって、外部端子の基板を覆う被覆部２と、外部端子にコネクタを接続する開口部３と、電源ハーネスを引き掛けるフック部４と、パチンコ遊技機の背面に固定するためのフランジ部５とを備え、本発明のパチンコ遊技機３０は前記外部端子カバー１を備えたことを特徴とする。【選択図】      図１
2004254838.tif 000002
【特許請求の範囲】
【請求項１】
パチンコ遊技機に設置された電気部品と外部電源とを中継する外部端子を備えたパチンコ遊技機において、前記外部端子を保護する外部端子カバーを設けたことを特徴とするパチンコ遊技機。
【請求項２】
前記外部端子は外部端子基板に設けられており、前記外部端子カバーは、前記外部端子基板の一部又は全部を覆う略矩形部材であって、前記外部端子に対応する部分には開口部が設けられていることを特徴とする請求項１に記載のパチンコ遊技機。
【請求項３】
前記外部端子カバーは、電源ハーネスを引き掛けるフック部を備えていることを特徴とする請求項１又は２に記載のパチンコ遊技機。
【請求項４】
パチンコ遊技機の外部端子が配置された外部端子基板の一部又は全部を保護するカバーであって、該外部端子の基板を覆う被覆部と、該外部端子にコネクタを接続する開口部とを備えたことを特徴とするパチンコ遊技機の外部端子カバー。
【請求項５】
前記被覆部には、電源ハーネスを引き掛けるフック部が設けられていることを特徴とする請求項４に記載のパチンコ遊技機の外部端子カバー。
【請求項６】
前記被覆部には、パチンコ遊技機の背面に固定するためのフランジ部が設けられていることを特徴とする請求項４又は５に記載のパチンコ遊技機の外部端子カバー。
【発明の詳細な説明】
【０００１】
【発明の属する技術分野】
本発明は、パチンコ遊技機及びその外部端子カバーに関し、特にパチンコ遊技機の背面に集約されて配置された外部端子を保護する構造の改良に関する。
【０００２】
【従来の技術】
従来、パチンコ遊技機背面には、種々の電子機器が配置されているとともに、これらの電子機器に対して電源を供給する電源ハーネス、及び電子機器から外部機器へ接続する外部端子が設けられている（例えば、特許文献１参照）。
【０００３】
図５は、従来のパチンコ遊技機の表面を示す斜視図である。図５に示すように、パチンコ遊技機４０は、外枠４８にヒンジ軸５０を介して取付けられたベースドア４９から構成される。前記ベースドア４９は、パチンコ遊技機４０の設置や各種制御装置等のメンテナンスのために、遊技機島に取付けられた外枠４８に対して開閉自在に軸支されて取付けられている。なお、説明の都合上、以降、ヒンジ軸５０により取り付けられる側（図の左側）を「枢止側」、反対側（図の右側）を「開閉側」と呼ぶこととする。
【０００４】
図６は、従来のパチンコ遊技機の裏側を示す斜視図である。図６に示すように、パチンコ遊技機４０の遊技盤裏側には、球補給タンク４１、外部端子４２、図柄制御装置４３、メイン制御装置４４、球払出装置４５、払出・発射制御装置４６、電源ユニット４７等の種々の部品がベースドア４９の背面に配置されている。
【０００５】
前記電源ユニット４７は、パチンコ遊技機４０の主電源であって、操作やメンテナンスの都合上、ベースドア４９の開閉側下部に設けられている。
【０００６】
図７は、外部端子の拡大図である。図７に示すように、外部端子４２は、外部電源からパチンコ遊技機に電気を供給するための端子である外部電源コネクタ５１ａ，５１ｂと、遊技機と外部機器とを接続するための外部入出力コネクタ５２とが集約されて枢止側上部に配置されている（図６参照）。これらのコネクタ５１，５２は、それぞれ外部電源端子基板５３，外部入出力端子基板５４上に設けられている。
【０００７】
外部電源コネクタ５１ａ，５１ｂは、電源ユニット４７に電気を供給する電源ハーネス（図示せず）が接続される端子であり、外部入出力コネクタ５２は、メイン制御装置４４及び図柄制御装置４３からの出力信号を、遊技場の設備であるホールコンピュータや外部機器等へ出力するための外部信号ハーネスが接続される端子である。このように外部端子４２には複数のハーネスが接続されるため、外枠４８の開閉時にハーネスが引き出されないようにすべく外部端子４２は枢止側上部に配置される。
【０００８】
【特許文献１】
特開２００１−１２９２１１号公報
【０００９】
【発明が解決しようとする課題】
ところが、外部端子基板が枢止側上部に集約して配置されたことから、各ハーネスは外枠の上部から重力により垂れ下がることとなる。特に、電源ハーネスは他のハーネスよりも重いため、電源コネクタに曲げ応力が発生し易く、電源コネクタ及び電源コネクタ取付部周辺が破損し易いという問題があった。
【００１０】
また、電源ハーネスは、その敷設箇所によっては、メンテナンスの際の開閉時に、外枠４８とベースドア４９との間に挟まれる場合があり、この場合には、挟まれた箇所に余分な張力が発生し、その張力により生じた引張力によってコネクタが破損する原因となっていた。
【００１１】
さらに、外部端子基板は一般に剥き出しのまま遊技盤の背面に設置されており、電源ハーネスに余分な張力が発生すると、その張力が電源コネクタに直に曲げ応力として伝わってしまうこともコネクタ及び電源コネクタ取付部周辺が破損する原因となっていた。
【００１２】
そこで、本発明は、以上の問題点に鑑みてなされたもので、外部端子の破損を防止することができるパチンコ遊技機及びその外部端子カバーを提供するものである。
【００１３】
【課題を解決するための手段】
上記課題を解決するために、本発明のパチンコ遊技機では、パチンコ遊技機に設置された電気部品と外部電源とを中継する外部端子を備えたパチンコ遊技機において、外部端子を保護する外部端子カバーを設けたことを特徴とする。
【００１４】
外部端子を保護する外部端子カバーを設けたことにより、外部端子に接続されるハーネスに張力が発生しても外部端子のコネクタに直に曲げ応力として伝わることを防止することができ、外部端子の破損を防止することができる。
【００１５】
本発明の実施形態によれば、前記外部端子は外部端子基板に設けられており、前記外部端子カバーは、前記外部端子基板の一部又は全部を覆う略矩形部材であって、外部端子に対応する部分には開口部が設けられていることが好ましい。かかる外部端子カバーの構造により、外部端子を保護することができるとともに、外部端子に各種ハーネスを接続することができる。
【００１６】
本発明の実施形態によれば、外部端子カバーは、電源ハーネスを引き掛けるフック部を備えていることが好ましい。かかる外部端子カバーの構造により、電源ハーネスに余分な張力が発生することを防止することができ、電源コネクタに生ずる曲げ応力を低減することができる。
【００１７】
また、上記課題を解決するために、本発明のパチンコ遊技機の外部端子カバーでは、パチンコ遊技機の外部端子が配置された外部端子基板の一部又は全部を保護するカバーであって、外部端子基板を覆う被覆部と、外部端子にコネクタを接続する開口部とを備えたことを特徴とする。
【００１８】
かかる外部端子カバーにより、外部端子に接続されるハーネスに張力が発生しても外部端子のコネクタに直に曲げ応力として伝わることを防止することができ、外部端子の破損を防止することができる。
【００１９】
本発明の実施形態によれば、被覆部には、電源ハーネスを引き掛けるフック部が設けられていることが好ましい。かかる構造により、電源ハーネスに余分な張力が発生することを防止することができ、電源コネクタに生ずる曲げ応力を低減することができる。
【００２０】
本発明の実施形態によれば、被覆部には、パチンコ遊技機の背面に固定するためのフランジ部が設けられていることが好ましい。かかる構造により、容易に外部端子カバーをパチンコ遊技機の背面に固定することができる。
【００２１】
【発明の実施の形態】
以下、本発明の実施形態に係るパチンコ遊技機及びその外部端子カバーについて、図１ないし図４を用いて詳細に説明する。ここで、図１は本実施形態に係るパチンコ遊技機の外部端子カバーの正面図、図２は本実施形態に係る外部端子カバーのフック部４の拡大図、図３は本実施形態に係るパチンコ遊技機の裏側を示す斜視図、図４は、外部端子カバー１を外部端子基板に取付ける状況を示す斜視図である。なお、パチンコ遊技機の裏側の主な構造については、図６に示すものと同様であるので、その詳細な説明を省略する。
【００２２】
図１に示すように、本発明の実施形態に係るパチンコ遊技機の外部端子カバー１は、パチンコ遊技機の背面に集約されて配置された外部端子を保護するカバーであって、外部端子の基板を覆う被覆部２と、外部端子にコネクタを接続する開口部３（３ａ，３ｂ）と、電源ハーネスを引き掛けるフック部４と、パチンコ遊技機の背面に固定するためのフランジ部５とを備えている。
【００２３】
被覆部２は、図７に示す外部端子のコネクタ部以外の部分を覆う部材であり、外部端子基板の形状に合わせて成形される。通常は、図１に示すように、略矩形に成形される。かかる被覆部２により脆弱な基板そのものの保護を図ることができる。この被覆部２はプラスチック等の軽量であるとともに、ある程度の強度を持った材質で成形される。また、外部端子基板をパチンコ遊技機に固定するネジの頭部等の突出部を覆う凸部７が形成されている。また、被服部２の中央上部には、外部端子基板上のヒューズソケット５５に対応させてヒューズカバー８が設けられている。このヒューズカバー８は、凹状をなしており、図４に示すように、外部端子カバー１を外部端子基板に取付けた際に、ヒューズソケット５５に装着されたヒューズを収納するようになっている。
【００２４】
前記開口部３は、図７に示す外部端子のコネクタ部（電源コネクタ及び中継コネクタ）と対応する位置に設けられており、電源ハーネス等を外部端子カバー１を設置した状態で接続できるようになっている。例えば、本実施形態では、図４に示すように、外部電源コネクタ５１ａ，５１ｂに対応した位置に電源コネクタ用の開口部３ａ，３ｂが設けられている。
【００２５】
この開口部３を介して電源ハーネス等を各コネクタに接続することで、ハーネスの接続部が開口部３の縁にほぼ接触することとなり、接続されたハーネスの姿勢を真っ直ぐに維持することができる。したがって、電源ハーネス等が重力により垂れ下がったり、メンテナンス時等にハーネスに余分な張力が生じたりした場合であっても、これによる応力が外部端子カバー１によっても分担されるため、結果的にコネクタに生ずる曲げ応力を低減することができ、コネクタ部の破損を防止することができる。また、開口部３は、コネクタの数の増加に備えて、コネクタのない箇所にあらかじめ余剰の開口部を設けるようにしておいてもよい。
【００２６】
前記フック部４は、図２に示すように、電源ハーネス２１がパチンコ遊技機の背面から離間しないように電源ハーネス２１を拘束するフック２２と、電源ハーネス２１がフックから外れないように横方向の移動を拘束する側壁２３とからなる。このフック部４の構造は、単なる一実施形態であって、電源ハーネス２１の移動を拘束するものであれば種々の構造を採用することができる。例えば、フック２２と側壁２３を左右反対に設けてもよいし、フック２２と側壁２３とが連結されていてもよい。このようなフック部４を設けることにより、他のハーネスよりも重い電源ハーネス２１の移動を拘束することができ、メンテナンス時等に電源ハーネス２１を触った場合であっても、電源ハーネス２１に生じた張力がコネクタに曲げ応力として影響する程度を低減することができる。また、このフック部４は、電源コネクタ用の開口部３よりも下側の位置に設けられ、コネクタに接続される状態や他のコネクタの位置を考慮してその設置位置が定められる。なお、フック部４の内側には、開口部２４が設けられている。
【００２７】
前記フランジ部５は、外部端子カバー１をパチンコ遊技機の背面に固定するために用いられる。例えば、図１に示すように、上側のフランジ部５にはネジ孔６が設けられており、このネジ孔６にネジを通すことによって外部端子カバー１をパチンコ遊技機の背面に固定することができる。このネジ孔６は下側のフランジ部５にも設けるようにしてもよいが、図１では、開口部３や凸部７により、外部端子カバー１の設置位置を一義的に定めることができるため、下側のフランジ部５にはネジ孔は設けられていない。また、パチンコ遊技機の背面に下側のフランジ部５を差し込むスリット部を設けるようにしてもよい。
【００２８】
次に、図３を用いて本発明の実施形態に係るパチンコ遊技機について説明する。本発明の実施形態に係るパチンコ遊技機３０には、外部端子を保護するとともに、電源ハーネス２１を引き掛けるためのフック部４を備えた外部端子カバー１が設けられている。
【００２９】
パチンコ遊技機３０の基本的な構造は、図６に示したものと同様であり、外部端子はパチンコ遊技機３０に設置された電気部品と外部電源とを中継する端子であって、パチンコ遊技機３０の背面に集約されて配置されている。ここで、電気部品とは、球補給タンク４１、外部端子４２、図柄制御装置４３、メイン制御装置４４、球払出装置４５、払出・発射制御装置４６、電源ユニット４７等の電気部品や、図示しない外部電飾等の電気部品をいう。なお、外部端子カバー１の構造については、図１及び図２を用いて既に説明した通りである。
【００３０】
このパチンコ遊技機３０においては、電源ユニット４７は開閉側下部に、外部端子４２は枢止側上部に配置されている。このような配置の場合、電源ハーネス（図示せず）は、必然的にパチンコ遊技機の枢止側上部から開閉側下部へと敷設されることとなる。このため、電源ハーネスが、その敷設箇所によっては、メンテナンスの際の開閉時に、外枠４８とベースドア４９との間に挟まれる場合があり、この場合には、挟まれた箇所に余分な張力が発生し、その張力により生じた引張力によってコネクタが破損することとなる。また、制御装置等のメンテナンス時においても電源ハーネスが邪魔となることがあり、電源ハーネスを触らなければならず、余分な張力が発生してしまうのである。
【００３１】
しかし、本発明のパチンコ遊技機３０では、図１及び図２に示したように、外部端子カバー１に電源ハーネス２１を引き掛けるためのフック部４が設けられているため、電源ハーネス２１に張力が生じたとしても、フック部４で電源ハーネス２１の移動を拘束することによって、その張力を低減することができるとともに、開口部３で電源ハーネス２１の接続部が支持されていることによって、コネクタ部に生ずる曲げ応力を低減することができる。
【００３２】
【発明の効果】
以上説明したように、本発明のパチンコ遊技機及びその外部端子カバーによれば、外部端子を保護する外部端子カバーを設けたことにより、外部端子に接続されるハーネスに張力が発生しても外部端子のコネクタに直に曲げ応力として伝わることを防止することができ、外部端子の破損を防止することができる。
【図面の簡単な説明】
【図１】本実施形態に係るパチンコ遊技機の外部端子カバーの正面図である。
【図２】本実施形態に係る外部端子カバーのフック部の拡大図である。
【図３】本実施形態に係るパチンコ遊技機の裏側を示す斜視図である。
【図４】本実施形態に係る外部端子カバーを外部端子基板に取付ける状況を示す斜視図である。
【図５】従来のパチンコ遊技機の表側を示す斜視図である。
【図６】従来のパチンコ遊技機の裏側を示す斜視図である。
【図７】外部端子基板の拡大図である。
【符号の説明】
１…外部端子カバー
２…被覆部
３（３ａ，３ｂ）…開口部
４…フック部
５…フランジ部
６…ネジ孔
７…凸部
８…ヒューズカバー
２１…電源ハーネス
２２…フック
２３…側壁
２４…開口部
３０，４０…パチンコ遊技機
４１…球補給タンク
４２…外部端子
４３…図柄制御装置
４４…メイン制御装置
４５…球払出装置
４６…払出・発射制御装置
４７…電源ユニット
４８…外枠
４９…ベースドア
５１ａ，５１ｂ…外部電源コネクタ
５２…外部入出力コネクタ
５３…外部電源端子基板
５４…外部入出力端子基板
５５…ヒューズソケット
【図１】
2004254838.tif 000003
【図２】
2004254838.tif 000004
【図３】
2004254838.tif 000005
【図４】
2004254838.tif 000006
【図５】
2004254838.tif 000007
【図６】
2004254838.tif 000008
【図７】
2004254838.tif 000009